【手続補正書】
【提出日】平成19年10月12日(2007.10.12)
【手続補正１】
【補正対象書類名】特許請求の範囲
【補正対象項目名】全文
【補正方法】変更
【補正の内容】
【特許請求の範囲】
【請求項１】
宝石及び装飾材（１３）を固定した台座（１）に突起（２）を取り付けることを特徴とする台座と、その突起に対応し台座保持のための溝又は切り欠き（4，5，6）を有し、また中に弾性体（11）を収める加工をした着脱自在な宝石及び装飾材固定台座。
【請求項２】
宝石及び装飾材（１３）を固定した台座で溝又は切り欠き（４，５，６）を有することを特徴とする台座と、それに対応する突起を有し、中に弾性体  （１１）を収める加工をした着脱自在な宝石及び装飾材固定台座。
【請求項３】
宝石及び装飾材（１３）を固定した台座を溝または切り欠き（４，５，６）と弾性体（１１）の反動によって固定することを特徴とする宝石及び装飾材の固定方法。
【請求項４】
上記１，２の台座もしくは3の方法を用いて加工された装身具。
【手続補正２】
【補正対象書類名】明細書
【補正対象項目名】全文
【補正方法】変更
【補正の内容】
【発明の詳細な説明】
【発明の名称】着脱自在な宝石および装飾材の着脱用固定台座
【技術分野】
【０００１】      この発明は、指輪やペンダントなど装飾具における、宝石および装飾材の着脱用固定台座に関するものである。
【背景技術】
【０００２】      従来の宝飾品は、宝石を固定するための台座と指輪やペンダントなど装身具本体が一体に形成されていた。【０００３】      従来の宝飾品としては、特開昭６１−１６２９０５号公報に、「兌換性宝飾品」が開示されている。開示の宝飾品は、オス型と、メス型と、オス型又はメス型の一方が設けられた宝飾品台座部と、オス型又はメス型の他方に設けられた宝石と、を備えた構成を有している。この構成により、宝石の設けられたオス型又はメス型が固定台座に対して交換可能となり、宝飾品のデザインを変えることができる。【特許文献１】特開昭６１−１６２９０５号公報
【発明の開示】
【発明が解決しようとする課題】
【０００４】      したがって、従来の製品においてはひとつの宝石を固定するための台座には一つの宝石が固定されていたため使用者は決まった用途でしか一つの宝石を使用することができなかった。また宝石を固定するための台座に異なる宝石を付け替えることは使用者にはできなかった。【０００５】      特開昭６１−１６２９０５号公報に開示の宝飾品はオス型とメス型をボルト締めで結合しているので、ボルトが緩み宝石が脱落しやすいという課題を有していた。【０００６】      そこでこの考案は、宝石を交換して使用する際にも外れにくく、一つの宝石を指輪やペンダントなどの装飾具のさまざまな用途に使用することができる着脱自在な固定台座を提供することを目的とする。
【課題を解決するための手段】
【０００７】      上記従来の課題を解決するために、宝石および装飾材を固定した台座と装身具本体を着脱自在になるように構成し、また固定方法として弾性体を用いた。
【発明の効果】
【０００８】      この構成によって、一つの宝石及び装飾材をさまざまな装身具で使用でき、かつ宝石および装飾材を装身具使用時に固定した台座から外れにくくすることができる。【０００９】      また、一つの装身具でさまざまな宝石および装飾材を付け替えて使用することができる。
【発明を実施するための最良の形態】
【００１０】      この考案の実施の形態を、添付した図面に従って説明する。【００１１】      図１、２において、宝石および装飾材と台座１の台座部分に固定用突起２を２箇所対称にとりつける。宝石および装飾材を枠に固定するこの構成によって通常状態においても、もろい宝石などの先端などは台座によって保護される。【００１２】      固定台３には、宝石および装飾材と台座１に設けた固定用突起２がはまりあう大きさの溝又は切り欠きa4をもうけ、4の終点より水平に溝又は切り欠きb５をもうける。      さらに、5の終点より上方に溝又は切り欠きc ６をもうける。なお６において宝石および装飾材と台座１に取り付けた固定用突起２が固定されるため６は上に突き抜けないものとする。４，５，６は2箇所にもうけるがそれぞれの形は左右反転したものとする。【００１３】      また固定台座３には、下辺より上辺に突き抜けないように溝又は切り欠き弾性体押さえ固定溝７をもうけ弾性体押さえ８の固定用突起９を７に通し弾性体を中にいれ下部蓋１２で蓋をする。    ここで７，９は２箇所それぞれ対称にもうける。【００１４】      こうして形成された固定台座３、弾性体押さえ８、弾性体１１、下部蓋１２を組み合わせたものを指輪やペンダントなどの装飾具本体に取り付ける。なお、弾性体１１に板ばねを用いる際は弾性体押さえ固定溝７、弾性体押さえ８を省略することができる。【００１５】      このようにして準備した装身具と宝石及び装飾材と台座１の組み付けは次のように行う    ・  宝石及び装飾材と台座１に取り付けた固定用突起２を固定台座３の溝又は切り欠きa4にはめこみ下まで押し込み弾性体11を押し下げる。    ・  次は弾性体１１を押し込んだまま溝又は切り欠きb５に沿って水平に回し溝又は切り欠きｂ５の終点まできて押し込むのをやめる。    ・  そうすると弾性体の反動で宝石及び装飾材と台座１は固定台座３に固定される。      はずす際の作業は上記の反対となる。【００１６】      なおより宝石及び装飾材と台座１を安定して固定するために固定用突起２，９並びに溝又は切り欠きa4,溝又は切り欠きb５、溝又は切り欠きc6はそれぞれ数を増やしてもよい。
【実施例】
【００１７】      １の宝石及び装飾材と台座1は、この例ではふくりん留めという宝石固定法がとられているが、図３に示すように他の宝石固定法を用いてもよい。その際宝石及び装飾材と台座１と固定台３を筒状で構成したときには、宝石及び装飾材と台座１の固定台３に固定される部分を筒状とし、上部の形を宝石に対応した形にすることによって多角形に形成された宝石も使用でき、図２に比べ図３の固定法では大きいサイズの宝石を使うこともできる。      また、当図では、ファセットカットの宝石を示しているがカボッションカットなど他のカットの宝石を用いることもできる。【００１８】      宝石及び装飾材１３の一例としては宝石にはダイヤモンド、ルビー、エメラルド、装飾材として七宝などを用いることができる。      台座の素材としては貴金属もしくは他の素材を用いてもよい。      また、台座と装身具本体を色調のことなる素材で構成することでも変化を楽しめる
【図面の簡単な説明】
【００１９】
【図１】この発明の一実施例を示し、宝石及び装飾材と台座とその固定部の分解斜視図である。
【図２】宝石及び装飾材と台座の断面図である。
【図３】宝石及び装飾材と台座を固定した状態の他の形態を示す例
【図４】宝石及び装飾材と台座を固定部に組み込んだ状態を示す断面図
【図５】本発明を組み込んだ指輪の正面図と側面図
【図６】本発明を組み込んだ他の形態の指輪の正面図と側面図
【図７】本発明を組み込む前の指輪の正面図
【図８】本発明を組み込んだペンダントトップの正面図
【図９】本発明を組み込んだ他の形態のペンダントトップの正面図
【符号の説明】
【００２０】  １    宝石及び装飾材と台座  ２    固定用突起  ３    固定台座  ４    溝又は切り欠きa  ５    溝又は切り欠きb  ６    溝又は切り欠きc  ７    弾性体押さえ固定溝  ８    弾性体押さえ  ９    固定用突起  １０  採光用穴  １１  弾性体  １２  下部蓋  １３  宝石および装飾材  １４  リング部  １５  固定台の取り付け枠  １６  ペンダント本体
【手続補正３】
【補正対象書類名】図面
【補正対象項目名】全図
【補正方法】変更
【補正の内容】
【図１】
2006116275.tif 000001
【図２】
2006116275.tif 000002
【図３】
2006116275.tif 000003
【図４】
2006116275.tif 000004
【図５】
2006116275.tif 000005
【図６】
2006116275.tif 000006
【図７】
2006116275.tif 000007
【図８】
2006116275.tif 000008
【図９】
2006116275.tif 000009